【事件の表示】
　特願２００２−２５５４「ディスク回転装置」拒絶査定不服審判事件〔平成１４年９月６日出願公開、特開２００２−２５１８１３〕について、次のとおり審決する。
【結　論】
　本件審判の請求は、成り立たない。
【理　由】
　
１．手続の経緯、本願発明
　
　本願は、平成５年９月２０日に出願した特願平５−２３３０７９号の一部を平成１４年１月９日に新たな特許出願としたものであって、その請求項１に係る発明は、平成１７年６月２１日付けで手続補正が提出された明細書の特許請求の範囲の請求項１に記載された、次のとおりのものである（以下、「本願発明」という。）。
　
「【請求項１】
　カートリッジ内に回転自在に収納されるディスクが載置され、駆動部によって回転操作されるディスクテーブルと、
　該ディスクテーブルの中心部に配設され、前記ディスクの中央部に設けられるクランピングプレートが吸着支持される嵌合体と、
　前記ディスクテーブル、前記嵌合体及び前記クランピングプレートの中心部に形成される孔部に挿入されると共に当該クランピングプレートから所定長さ突出する前記駆動部の駆動軸とを備え、
　前記カートリッジが変形しても、当該カートリッジは前記駆動軸の先端部に点接触して前記クランピングプレートから離隔された状態に維持されること
　を特徴とするディスク回転装置。」
　
　なお、本願の優先権主張〔平成４年９月２４日、特願平４−２５４５４９号（以下、「優先権基礎出願」という。）〕については、以下の理由により、適法なものであるとは認められない。
　〔優先権主張が適法でない理由〕
　本願発明の前提となるディスクに関して、「カートリッジ内に回転自在に収納される」こと及び「前記ディスクの中央部に設けられるクランピングプレート」を有する点は、図面では図１から３の全てにおいて、また、明細書では第１〜６段落を始め、ほとんどの段落において言及しているところ、上記の点は優先権基礎出願の出願当初明細書及び図面に記載のない事項である。
　また、ディスク回転装置自体に関しても、「クランピングプレートが吸着支持される嵌合体」は、優先権基礎出願の出願当初明細書及び図面に記載のない事項であり、したがって、駆動部の駆動軸についても、「前記嵌合体及び前記クランピングプレートの中心部に形成される孔部に挿入される」こと、及び「当該クランピングプレートから所定長さ突出する」ことについて優先権基礎出願の出願当初明細書及び図面に記載がない。
　さらには、「前記カートリッジが変形しても、当該カートリッジは前記駆動軸の先端部に点接触して前記クランピングプレートから離隔された状態に維持されること」も優先権基礎出願の出願当初明細書及び図面に記載のない事項である。
　以上のことから、本願発明は、優先権基礎出願の出願当初明細書及び図面に記載された発明とすることができないから、本願についての優先権主張は、適法なものと認めることができない。
　
　
２．引用例
　原査定の拒絶の理由で引用された、本願のそ及出願日前に頒布された刊行物である、特開平５−１２８７７６号公報（以下、「引用例」という。）には、図面とともに次の技術事項が記載されている。
　
（ａ）
「【０００１】
【産業上の利用分野】本発明は、レーザ光の照射により情報信号の記録・再生を行う光ディスクに関し、特にチャッキングハブが設けられた光ディスクに関する。」
　
（ｂ）
「【００１４】これら光ディスク１は、一般に金型に樹脂を流し込んで作製する射出成形法により形成されるため、その略中心部に円形状の中心孔１ａを有する。上記中心孔１ａは、記録トラックのセンターと該中心孔１ａのセンターとが略一致するように形成されるが、通常は成形時の温度に左右されてこれらのセンターが多少ずれることがある。
【００１５】また、上記光ディスク１の中心孔１ａに対応する位置には、図２に示すように、ドライブ装置のディスクテーブル上に該光ディスク１をチャッキングするためのチャッキングハブ２が設けられている。上記チャッキングハブ２は、金属板をプレス加工することによって上記中心孔１ａを覆うに足る大きさの円盤状をなす皿形状として形成され、該光ディスク１の一方の面に接着剤３等によって固定されている。すなわち、このチャッキングハブ２は、記録トラックのセンターに当該チャッキングハブ２に穿設される後述のセンタリング孔のセンターを合わせ、その中心孔１ａを覆って設けられる外周縁部２ａと光ディスク１との接触部分に接着剤３が塗布されて光ディスク１に固定されている。
【００１６】そして、特に本実施例の光ディスク１においては、上記チャッキングハブ２の略中心部にセンタリングを高精度に行うための小径のセンタリング孔４が穿設されている。このセンタリング孔４は、高回転数且つ高速シークが要求されるハイパフォーマンスのドライブ装置のディスクテーブルに設けられるセンタリングピンに係合して、上記光ディスク１をディスクテーブルに高精度に位置決めする役目をするものである。つまり、高回転数が要求される精度の高いドライブ装置に対して良好な記録・再生を可能なものとなすためのものである。」
　
（ｃ）
「【００１９】一方、高回転数且つ高速シークで記録・再生を行うハイパフォーマンスの高機種のドライブ装置に対しては、図５に示すように、チャッキングハブ２に穿設されたセンタリング孔４によってセンタリングがなされる。すなわち、ドライブ装置のディスクテーブル５に内蔵されるマグネット６によって上記光ディスク１が当該ディスクテーブル５に磁気吸着され、そのディスクテーブル５の略中央部に突設形成される円柱状のセンタリングピン９が上記センタリング孔４に係合してセンタリングされる。このように、センタリング孔４に略同一寸法径とされたセンタリングピン９が係合するため、上記ディスクテーブル５の中心と光ディスク１の回転中心とが高精度に一致する。したがって、高回転数で光ディスク１を回転操作しても良好に記録・再生が行える。
【００２０】なお、このハイパフォーマンスの高機種のドライブ装置においても、図６に示すように、ディスクテーブル５に上記光ディスク１のディスク面を支持する受け面８を設ければ、当該光ディスク１の面振れを少なくすることができ、より良好な記録・再生が行える。」
　
（ｄ）
図５，６を参照すると、センタリングピン９は、その先端部が球状であるとともに、チャッキングハブ２のセンタリング孔４から突出するように形成されていることが明らかである。
　
　上記記載事項及び図面を総合勘案すると、上記引用例には、結局、次の発明が記載されている（以下、「引用発明」という。）。
「光ディスク１の中心孔１ａに対応する位置には、図２に示すように、ドライブ装置のディスクテーブル５上に該光ディスク１をチャッキングするためのチャッキングハブ２が設けられ、記チャッキングハブ２の略中心部にセンタリングを高精度に行うための小径のセンタリング孔４が穿設された光ディスク１を記録再生するドライブ装置であって、
　ディスクテーブル５に内蔵されるマグネット６によって上記光ディスク１を当該ディスクテーブル５に磁気吸着し、前記ディスクテーブル５の略中央部に突設形成される先端球状の円柱状センタリングピン９が上記センタリング孔４に、同孔から突出するように係合してセンタリングし、前記ディスクテーブル５には上記光ディスク１のディスク面を支持する受け面８を設けた、
　高回転数で光ディスク１を回転操作するドライブ装置。」
  
　
３．対　比
　本願発明と引用発明とを対比する。
　引用発明における「光ディスク１」は、本願発明における「ディスク」と、ディスクである点で共通している。
　引用発明における「ディスクテーブル５」 は、光ディスク１のディスク面を支持する受け面８を設け、光ディスク１を回転操作するものであるから、本願発明における「ディスクが載置され、駆動部によって回転操作されるディスクテーブル」に相当する。
　引用発明における「チャッキングハブ２」は光ディスク１の中心孔１ａに対応する位置に設けられ、本願発明の「前記ディスクの中央部に設けられるクランピングプレート」に相当する。
　引用発明における「ディスクテーブル５に内蔵されるマグネット６」 は、本願発明の「嵌合体」に相当する。
　引用発明における「前記ディスクテーブル５の略中央部に突設形成される先端球状の円柱状センタリングピン９」は、「上記センタリング孔４に、同孔から突出するように係合してセンタリング」するものであることも併せると、本願発明の「前記ディスクテーブル、前記嵌合体及び前記クランピングプレートの中心部に形成される孔部に挿入されると共に当該クランピングプレートから所定長さ突出する前記駆動部の駆動軸」に相当する。
　引用発明における「高回転数で光ディスク１を回転操作するドライブ装置」は、本願発明の「ディスク回転装置」に相当する。
　
　そうすると、本願発明と引用発明とは次の点で一致する。
　一致点
「ディスクが載置され、駆動部によって回転操作されるディスクテーブルと、
　該ディスクテーブルの中心部に配設され、前記ディスクの中央部に設けられるクランピングプレートが吸着支持される嵌合体と、
　前記ディスクテーブル、前記嵌合体及び前記クランピングプレートの中心部に形成される孔部に挿入されると共に当該クランピングプレートから所定長さ突出する前記駆動部の駆動軸とを備える、
　ディスク回転装置。」
　
　一方、次の点で相違する。
　相違点
　本願発明のディスク回転装置においては、ディスクは「カートリッジ内に回転自在に収納される」ものであって、「前記カートリッジが変形しても、当該カートリッジは前記駆動軸の先端部に点接触して前記クランピングプレートから離隔された状態に維持される」のに対し、引用発明においては、そのような事項について開示がない点。
　
　
４．判　断
　そこで、上記相違点について検討する。
　カートリッジ内に回転自在に収納されるディスクは、本願そ及出願時において既に周知のものにすぎない。例えば特開昭６１−１７２２６９号公報（以下、「周知例１」という）には、ディスクに相当する磁気シート１３が、カートリッジのことであるカセット１２内に回転自在に収納されているものである。同公報の第１図を参照すると、モータ軸１の先端が球状に形成され、磁気シート１３、芯金８から突出してカセット１２の上ハーフ１２Ａに点接触するか、乃至は極めて近接した位置関係にある状態が示されている。カセットとモータ軸先端がこのような位置関係にある以上、カセットが変形して内側に反っても、ディスク駆動装置に装填されたときには、結局、変形したカセットの内側部分がモータ軸に押し上げられて第１図のような状態となり、その場合にはカセットの上ハーフ１２Ａはモータ軸１の先端がカセット１２の上ハーフ１２Ａに点接触して、芯金８から離隔された状態に保たれることが明らかである。
　同様に、特開平１−４６２５５号公報（以下、「周知例２」という）にも、カートリッジ３に収納されたディスク４が、駆動装置１９により回転駆動される構造が開示されている。第１図を参照すると、スピンドル２３の先端は、ディスク４のセンターコア８に形成された中心孔７から突出してカートリッジの上ハーフ１の内面に接触するか、乃至は極めて近接した位置関係にある状態が示されている。カートリッジとスピンドル先端がこのような位置関係にある以上、カートリッジが変形して内側に反っても、駆動装置に装填されたときには、結局、変形したカートリッジの内側部分がスピンドルに押し上げられて第１図のような状態となり、その場合にはカートリッジの上ハーフ１はスピンドルの先端がカートリッジの上ハーフ１に接触して、センターコア８から離隔された状態に保たれることが明らかである。
　このような周知事項を参酌すると、引用発明において、カートリッジに収納されたディスクを用いることし、その際、センタリングピン９の先端部を、カートリッジの上ハーフの内面に接触するか、乃至は極めて近接した位置関係とすることにより、カートリッジが変形しても、当該カートリッジは駆動軸に相当するセンタリングピン９の先端部に点接触してクランピングプレートに相当するチャッキングハブ２から離隔された状態に維持されるように構成することは当業者が容易に想到しうるものであり、その作用効果も当業者が予測しうるものにすぎない。
　
　
５．むすび
　以上のとおり、本願の請求項１に係る発明は、引用発明及び周知事項に基づいて当業者が容易に発明をすることができたものであるから、特許法第２９条第２項の規定により特許を受けることができない。
　したがって、本願は拒絶すべきものである。
　
　よって、結論のとおり審決する。